(57)【要約】【課題】読取部の近傍に外光が入り込むことを抑制できる、画像読取装置を提供する。【解決手段】ＣＩＳモジュール６３と排出口２８との間には、排出口２８からＣＩＳモジュール６３に向かって入り込む外光を遮蔽する遮蔽フィルム９１が設けられている。よって、排出口２８から外光が入り込んでも、ＣＩＳモジュール６３の近傍にまで外光が入り込むことを抑制できる。また、遮蔽フィルム９１の一端部は、排出口２８に向けて搬送される原稿のストレートパス７２内に突出している。そのため、遮蔽フィルム９１の一端部により、排出口２８から排出される原稿が押さえられる。【選択図】図４
2013251727.tif 000002
【特許請求の範囲】
【請求項１】
原稿を搬送する搬送部と、
前記搬送部を覆うカバーと、
前記搬送部によって搬送される原稿の画像を読み取る読取部と、
前記カバーに、前記搬送部によって搬送される原稿が排出される排出口を開放する開位置と前記排出口を閉塞する閉位置とに変位可能に設けられた開閉部と、
前記読取部と前記排出口との間に配置され、一端部が前記搬送部によって前記排出口に向けて搬送される原稿の第１搬送経路内に突出し、前記カバーが前記開位置に位置するときに、前記排出口から前記読取部に向かって入り込む外光を遮蔽する遮蔽部とを備える、画像読取装置。
【請求項２】
前記第１搬送経路に臨んで設けられ、原稿を前記排出口に向けて案内する案内面を備え、
前記遮蔽部は、前記カバーと前記案内面とに跨がった状態に設けられている、請求項１に記載の画像読取装置。
【請求項３】
前記遮蔽部は、１枚のフィルム状部材を折り曲げて形成されたＶ字形状をなし、
前記遮蔽部の前記一端部は、前記Ｖ字形状の前記フィルム状部材の角部であり、前記第１搬送経路内に突出している、請求項１または２に記載の画像読取装置。
【請求項４】
前記読取部に対向して配置され、前記搬送部によって搬送される原稿と接触する接触面を備え、
前記カバーは、前記読取部および前記接触面の上方に位置する第１面と、前記接触面および前記第１面の両方に交差する方向に延びる第２面とを含み、
前記開閉部は、前記第２面に形成されている、請求項１〜３のいずれか一項に記載の画像読取装置。
【請求項５】
前記読取部と前記排出口との間に設けられ、第１位置と前記第１位置とは異なる第２位置とに変位可能なガイド部を備え、
前記ガイド部は、前記第１位置に位置した状態で、前記読取部と前記排出口との間を連通させ、原稿を前記第１搬送経路へ案内し、前記第２位置に位置した状態で、前記読取部と前記排出口との間を遮断し、原稿を前記第１搬送経路とは異なる第２搬送経路へ案内するように構成され、
前記遮蔽部の前記一端部と反対側の他端部は、前記ガイド部に固定されている、請求項１〜４のいずれか一項に記載の画像読取装置。
【請求項６】
原稿を載置する載置面を備え、
前記カバーは、前記載置面を覆う位置と前記載置面を開放する位置とに変位可能に設けられ、
前記搬送部は、前記カバーに設けられ、
前記読取部は、前記載置面に沿って移動しつつ、前記載置面に載置された原稿の画像を読み取る第１読取方式と、固定位置に停止して、前記搬送部によって搬送される原稿の画像を読み取る第２読取方式とにより、原稿の画像の読み取りが可能であり、
前記カバーは、前記載置面の上方に位置する第１面と、前記載置面および前記第１面の両方に交差する方向に延びる第２面とを含み、
前記開閉部は、前記第２面に形成されている、請求項１〜３のいずれか一項に記載の画像読取装置。
【請求項７】
前記読取部と前記排出口との間に設けられ、第１位置と前記第１位置とは異なる第２位置とに変位可能なガイド部を備え、
前記ガイド部は、前記第１位置に位置した状態で、前記読取部と前記排出口との間を連通させ、原稿を前記第１搬送経路へ案内し、前記第２位置に位置した状態で、前記読取部と前記排出口との間を遮断し、原稿を前記第１搬送経路とは異なる第２搬送経路へ案内するように構成され、
前記遮蔽部の前記一端部と反対側の他端部は、前記ガイド部に固定されている、請求項６に記載の画像読取装置。
【請求項８】
前記第１搬送経路は、原稿を前記第２搬送経路よりも原稿の湾曲を抑えて搬送可能な経路である、請求項５または７に記載の画像読取装置。
【請求項９】
前記読取部と前記排出口との間に設けられ、前記搬送部によって搬送される原稿の画像を読み取る第２読取部と、
前記第２読取部に対向して配置され、前記搬送部によって搬送される原稿と接触する第２接触面とを備える、請求項１〜８のいずれか一項に記載の画像読取装置。
【請求項１０】
前記接触面は、原稿の一方面に接触し、
前記第２接触面は、原稿の前記一方面と反対側の他方面に接触する、請求項９に記載の画像読取装置。
【請求項１１】
前記第２読取部は、前記第２接触面と対向する位置に固定されている、請求項９または１０に記載の画像読取装置。
【発明の詳細な説明】
【技術分野】
【０００１】
本発明は、原稿の画像を読み取る画像読取装置に関する。
【背景技術】
【０００２】
原稿の画像を読み取る画像読取装置は、それ単体でイメージスキャナとして、また、画像形成装置と組み合わせて用いられている。
【０００３】
画像読取装置には、たとえば、イメージセンサと、イメージセンサを経由する原稿搬送路とが設けられている。原稿が原稿搬送路に沿って搬送される途中で、原稿がイメージセンサに対向する。このとき、光がイメージセンサから原稿に照射される。そして、原稿での反射光がイメージセンサに受けられることにより、原稿に形成されている画像の読み取りが達成される。
【０００４】
このような画像読取装置において、装置本体にカバーが開閉可能に設けられ、カバーの開閉により、２つの原稿搬送路が選択的に形成される構成を有するものがある。特許文献１には、その構成の一例が記載されている。特許文献１に記載の構成では、カバーが閉じられた状態で、カバーの内面により、Ｕ字状の原稿搬送路が形成される。一方、カバーが開かれた状態では、Ｕ字状の原稿搬送路の一部が開放されて、直線状の原稿搬送路が形成される。これにより、腰が比較的弱い原稿については、カバーが閉じられたままで、その画像の読み取りが達成され、厚手の原稿などの腰が比較的強い原稿については、カバーが開かれることにより、原稿搬送路を無理なく搬送されて、その画像の読み取りが達成される。
【先行技術文献】
【特許文献】
【０００５】
【特許文献１】特開２０００−１２８４１３号公報
【発明の概要】
【発明が解決しようとする課題】
【０００６】
ところが、前述の構成では、カバーが開かれると、Ｕ字状の原稿搬送路の一部を構成する部分が露出する。そのため、イメージセンサの近傍に外部からの光（外光）が入り込みやすくなる。
【０００７】
イメージセンサの近傍に外光が入り込むと、白基準をイメージセンサで読み取ったときに、正しい白色データを取得することができない。そのため、白色データを用いるシェーディング補正などを良好に行うことができず、画像の読み取りの精度が低下する。また、原稿の画像を読み取る際に、外光により、画像の読み取りの精度が低下するおそれがある。
【０００８】
本発明の目的は、読取部の近傍に外光が入り込むことを抑制できる、画像読取装置を提供することである。
【課題を解決するための手段】
【０００９】
前記の目的を達成するため、本発明に係る画像読取装置は、原稿を搬送する搬送部と、前記搬送部を覆うカバーと、前記搬送部によって搬送される原稿の画像を読み取る読取部と、前記カバーに、前記搬送部によって搬送される原稿が排出される排出口を開放する開位置と前記排出口を閉塞する閉位置とに変位可能に設けられた開閉部と、前記読取部と前記排出口との間に配置され、一端部が前記搬送部によって前記排出口に向けて搬送される原稿の搬送経路内に突出し、前記カバーが前記開位置に位置するときに、前記排出口から前記読取部に向かって入り込む外光を遮蔽する遮蔽部とを備える。
【００１０】
搬送部により、原稿が排出口に向けて搬送される。その搬送の途中で、読取部により、原稿の画像が読み取られる。
【００１１】
搬送部は、カバーによって覆われている。カバーには、開閉部が排出口を開放する開位置と排出口を閉塞する閉位置とに変位可能に設けられている。
【００１２】
そして、読取部と排出口との間には、排出口から読取部に向かって入り込む外光を遮蔽する遮蔽部が設けられている。よって、読取部の近傍に外光が入り込むことを抑制でき、ひいては、外光の入り込みによる画像の読取精度の低下を抑制することができる。
【００１３】
また、遮蔽部の一端部は、排出口に向けて搬送される原稿の第１搬送経路内に突出している。そのため、遮蔽部の一端部により、排出口から排出される原稿が押さえられる。その結果、排出口から排出される原稿が落下することを防止でき、原稿を良好に排出することができる。
【００１４】
原稿を排出口に向けて案内する案内面が第１搬送経路に臨んで設けられていることが好ましい。
【００１５】
これにより、読取部と排出口との間の距離をある程度確保することができる。その結果、読取部の近傍に外光が入り込むことを一層抑制できる。第１搬送経路を遮蔽部により遮蔽することで、第１搬送経路を通って読取部の近傍に外光が入り込むことを良好に抑制できる。
【００１６】
また、遮蔽部は、カバーと案内面とに跨がった状態に設けられていることが好ましい。
【００１７】
遮蔽部により、カバーと案内面との間で、案内面に臨む第１搬送経路を遮断することができる。
【００１８】
遮蔽部は、１枚のフィルム状部材を折り曲げて形成されたＶ字形状をなしていてもよい。この場合、遮蔽部の一端部がＶ字形状のフィルム状部材の角部であり、その角部が第１搬送経路内に突出しているとよい。
【００１９】
フィルム状部材が２重になった部分で外光を遮蔽することができる。よって、読取部の近傍に外光が入り込むことを一層抑制できる。
【００２０】
また、フィルム状部材がＶ字形状に折り曲げられることにより、フィルム状部材に腰が出る。そのため、Ｖ字形状のフィルム状部材の角部により、排出口から排出される原稿を良好に押さえることができる。
【００２１】
さらに、フィルム状部材がＶ字形状に折り曲げられて形成される角部には、切断跡のような微細な凹凸が生じない。そのため、その角部が第１搬送経路を搬送される原稿に擦れたときに、原稿に擦り傷が生じることを抑制できる。
【００２２】
画像読取装置は、読取部に対向して配置され、搬送部によって搬送される原稿と接触する接触面を備えていてもよい。
【００２３】
この場合、原稿は、搬送の途中で、接触面に接触する。このとき、接触面に対向して配置された読取部により、原稿の画像を読み取ることができる。
【００２４】
カバーは、読取部および接触面の上方に位置する第１面と、接触面および第１面の両方に交差する方向に延びる第２面とを有していてもよい。この場合、開閉部は、第２面に形成されていることが好ましい。
【００２５】
これにより、読取部および接触面の上方は、開閉部の位置に関係なく、カバーの第１面によって覆われる。そのため、読取部および接触面の近傍にその上方から外光が入り込むことが抑制される。また、第２面が接触面および第１面と交差する方向に延びているので、開閉部が開位置に位置しているときでも、画像読取装置が設置される室内の照明灯などの上方からの光が排出口から入り込むことが抑制される。
【００２６】
また、画像読取装置は、原稿を載置する載置面を備えていてもよい。
【００２７】
第１読取方式では、原稿が載置面に載置される。そして、読取部が載置面に沿って移動しつつ、その読取部により、原稿の画像が読み取られる。第２読取方式では、搬送部により、原稿が排出口に向けて搬送される。この搬送の途中で、固定位置に停止している読取部により、原稿の画像が読み取られる。
【００２８】
開閉部は、排出口を開放する開位置と排出口を閉塞する閉位置とに変位可能に設けられている。開閉部が開位置に位置し、排出口が開放されているときには、搬送部によって搬送される原稿が排出口から排出される。
【００２９】
カバーは、載置面を覆う位置と載置面を開放する位置とに変位可能に設けられた原稿カバーであってもよい。このカバーは、第１面および第２面を有している。第１面は、載置面の上方に位置している。第２面は、載置面および第１面の両方に交差する方向に延びている。
【００３０】
そして、カバーの第２面に、開閉部が形成されている。したがって、載置面の上方は、開閉部の位置に関係なく、原稿カバーの第１面によって覆われている。これにより、載置面の近傍にその上方から外光が入り込むことが抑制される。また、第２面が載置面および第１面と交差する方向に延びているので、開閉部が開位置に位置しているときでも、画像読取装置が設置される室内の照明灯などの上方からの光が排出口から入り込むことが抑制される。
【００３１】
読取部と排出口との間には、ガイド部が第１位置と第１位置とは異なる第２位置とに変位可能に設けられていてもよい。ガイド部は、第１位置に位置した状態で、読取部と排出口との間を連通させ、原稿を第１搬送経路へ案内し、第２位置に位置した状態で、読取部と排出口との間を遮断し、原稿を第１搬送経路とは異なる第２搬送経路へ案内するように構成される。このガイド部が設けられる構成では、遮蔽部の他端部は、ガイド部に固定されていることが好ましい。
【００３２】
遮蔽部の他端部がガイド部に固定されているので、ガイド部が第２位置から第１位置に変位されると、これに伴って、遮蔽部が変位する。これにより、ガイド部の位置に応じて、遮蔽部を外光が良好に遮蔽される位置に配置することができる。よって、ガイド部が第１位置に配置された状態では、読取部と排出口との間が連通し、外光が読取部に向けて入り込みやすい状態になるが、その外光を遮蔽部によって遮蔽することができ、読取部の近傍への外光の入り込みを抑制することができる。
【００３３】
第１搬送経路は、原稿を第２搬送経路よりも原稿の湾曲を抑えて搬送可能な経路であってもよい。
【００３４】
第１搬送経路の湾曲が小さいほど、つまり第１搬送経路が直線状に近いほど、排出口から入り込む外光が読取部に届きやすくなるが、遮蔽部が設けられているので、読取部の近傍に外光が到達することを抑制できる。
【００３５】
画像読取装置は、接触面と排出口との間に設けられ、搬送部によって搬送される原稿の画像を読み取る第２読取部と、第２読取部に対向して配置され、搬送部によって搬送される原稿と接触する第２接触面とを備えていてもよい。
【００３６】
この場合、原稿は、搬送の途中で、第２接触面に接触する。このとき、第２接触面に対向して配置された読取部により、原稿の画像を読み取ることができる。
【００３７】
接触面は、原稿の一方面に接触し、第２接触面は、原稿の一方面と反対側の他方面に接触することが好ましい。
【００３８】
これにより、１回の原稿の搬送中に、その原稿の一方面および他方面の両面の画像を読み取ることができる。
【００３９】
第２読取部は、第２接触面に対向する位置に固定されていてもよい。
【００４０】
第２読取部が移動可能に設けられる構成では、たとえば、正しい白色データを取得するために、第２読取部を外光の影響を受けにくい位置に移動させて、第２読取部によって白基準を読み取ることが考えられる。しかし、遮蔽部が設けられているので、第２読取部が固定されていても、第２読取部の近傍に外光が入り込むことが抑制される。その結果、第２読取部によって白基準を精度よく読み取ることができ、正しい白色データを取得することができる。
【発明の効果】
【００４１】
本発明によれば、読取部の近傍に外光が入り込むことを抑制できる。その結果、外光の入り込みによる画像の読取精度の低下を抑制することができる。
【図面の簡単な説明】
【００４２】
【図１】図１は、本発明の一実施形態に係る複合機の左前上方から見た斜視図であり、原稿搬送ユニットが閉じられた状態を示す。
【図２】図２は、複合機の左前上方から見た斜視図であり、原稿搬送ユニットが開かれた状態を示す。
【図３】図３は、画像読取ユニットの左前上方から見た斜視図であり、トレイおよび排出カバーが開かれた状態を示す。
【図４】図４は、図３に示される切断線Ａ−Ａにおける画像読取ユニットの断面図である。
【図５】図５は、図４に示される二点鎖線で囲まれる部分の断面図であり、フラッパが第１位置に配置された状態を示す。
【図６】図６は、図４に示される二点鎖線で囲まれる部分の断面図であり、フラッパが第２位置に配置された状態を示す。
【図７】図７は、遮蔽フィルムの他の構成を示す断面図であり、フラッパが第１位置に配置された状態を示す。
【図８】図８は、遮蔽フィルムの他の構成を示す断面図であり、フラッパが第２位置に配置された状態を示す。
【発明を実施するための形態】
【００４３】
以下では、本発明の実施の形態について、添付図面を参照しつつ詳細に説明する。
＜複合機＞
【００４４】
図１に示されるように、複合機１００は、略直方体形状をなしている。複合機１００は、画像形成ユニット２００と、画像形成ユニット２００上に配置された画像読取ユニット３００とを備えている。
【００４５】
画像形成ユニット２００は、略直方体形状をなしている。画像形成ユニット２００には、プリンタ機能を実現するためのインクジェット方式または電子写真方式の画像形成機構が内蔵されている。
【００４６】
画像形成ユニット２００の正面の上部には、ユーザによって操作される操作パネルＰが配置されている。
【００４７】
なお、画像形成ユニット２００の正面側を前側として、その前側から複合機１の各部を見たときを基準に、上下左右の方向を規定している。図１以降の各図では、図面の理解を助けるために、その規定された方向を矢印で示す。
【００４８】
画像読取装置の一例としての画像読取ユニット３００は、扁平な略直方体形状をなしている。画像読取ユニット３００は、画像形成ユニット２００の後上端付近において左右方向に延びる軸線を中心として、画像形成ユニット２００上に積み重なった姿勢と、画像形成ユニット２００に対して前側が持ち上がって展開した姿勢とに回動変位可能に設けられている。
【００４９】
画像形成ユニット２００が展開した姿勢をなす状態で、画像形成ユニット２００の内部が露出し、画像形成ユニット２００に内蔵された各部のメンテナンス作業などを行うことができる。
【００５０】
画像読取ユニット３００は、上部ユニット３０１および下部ユニット３０２を備えている。原稿カバーの一例としての上部ユニット３０１は、下部ユニット３０２の後上端付近において左右方向に延びる軸線を中心として、図１に示されるように、下部ユニット３０２上に積み重なった姿勢と、図２に示されるように、下部ユニット３０２に対して前側が持ち上がって展開した姿勢とに回動変位可能に設けられている。
【００５１】
＜画像読取ユニットの外観構成＞
【００５２】
画像読取ユニット３００の上部ユニット３０１は、前側板１１、後側板１２、左側板１３および右側板１４を有している。
【００５３】
前側板１１および後側板１２は、左右方向に長く延びる側面視矩形状をなし、前後方向に間隔を空けて対向配置されている。
【００５４】
左側板１３は、相対的に前側に配置される側面視四角形状の前左側板１５と、相対的に後側に配置される側面視四角形状の後左側板１６とを含む。前左側板１５の前端縁は、平面視で１／４円弧状の連結部１７を介して前側板１１の左端縁に連結されている。後左側板１６は、平面視で１／４円弧状の連結部１８を介して後側板１２の左端縁に連結されている。
【００５５】
右側板１４は、前後方向に延びる側面視矩形状をなし、その前端縁が平面視で１／４円弧状の連結部１９を介して前側板１１の右端縁に連結されるとともに、後端縁が平面視で１／４円弧状の連結部２０を介して後側板１２の右端縁に連結されている。
【００５６】
前側板１１および後側板１２の各右端部の上端縁間には、上板２１が架設されている。
【００５７】
前側板１１および後側板１２の左右方向の各中央部間には、トレイ２２が設けられている。トレイ２２は、不使用位置と使用位置とに変位可能である。トレイ２２が不使用位置に配置される状態において、トレイ２２の外面は、図１に示されるように、上板２１の上面と同一平面上に配置される。トレイ２２が不使用位置から使用位置に変位されるときには、不使用位置に配置されるトレイ２２の左端部が持ち上げられて、トレイ２２が右端部を支点に右側に回動される。トレイ２２は、使用位置において、右上がりに傾斜して延びる。
【００５８】
前側板１１および後側板１２の各左端部間には、メンテナンスカバー２３が設けられている。メンテナンスカバー２３は、その右端縁に沿って延びる軸線を中心とする回動によって開閉可能に構成されている。メンテナンスカバー２３が閉じられた状態で、メンテナンスカバー２３の外面は、上板２１およびトレイ２２の上面と同一平面上に配置される。メンテナンスカバー２３が開かれた状態で、メンテナンスカバー２３は、左端部が上方に持ち上がって、左上がりに傾斜して延びる姿勢をなす。
【００５９】
トレイ２２が不使用位置に配置され、メンテナンスカバー２３が閉じられた状態で、上板２１の上面、トレイ２２の外面およびメンテナンスカバー２３の外面により、上部ユニット３０１の上面２４が形成される。
【００６０】
前左側板１５および後左側板１６は、前後方向に同じ長さに形成され、それらの間には、間隔が空けられている。そして、前左側板１５と後左側板１６との間には、開閉部の一例としての排出カバー２５が設けられている。排出カバー２５は、その下端縁に沿って延びる回動軸２６（図４参照）を中心とする回動によって開閉可能に構成されている。排出カバー２５が閉じられた状態で、排出カバー２５の外面は、前左側板１５および後左側板１６の各外面と同一平面上に配置され、前左側板１５および後左側板１６の各外面とともに、上部ユニット３０１の左側面２７を形成する。第１面の一例としての上面２４および第２面の一例としての左側面２７は、カバーの一例をなす。一方、排出カバー２５が開かれると、前左側板１５と後左側板１６との間に、図３，４に示されるように、側面視で前後方向に長い矩形状の排出口２８が形成される。
【００６１】
図１に示されるように、メンテナンスカバー２３および排出カバー２５の両方が閉じられた状態において、メンテナンスカバー２３の左端縁と排出カバー２５の上端縁とは、互いに突き合わされて、ほぼ隙間のない状態で、それぞれ前後方向に延びる。
【００６２】
メンテナンスカバー２３の左端部における前後方向の中央部には、指挿入部３０が形成されている。指挿入部３０は、平面視において、メンテナンスカバー２３の左端縁から矩形状に切りかかれた形状をなしている。また、指挿入部３０は、メンテナンスカバー２３の上面から下方に凹み、上方および左方に開放され、底面３１を有する凹部をなしている。メンテナンスカバー２３および排出カバー２５の両方が閉じられた状態において、指挿入部３０に指先が入れられて、指先で排出カバー２５の上端部が左方に押されることにより、排出カバー２５が開かれる。また、メンテナンスカバー２３および排出カバー２５の両方が閉じられた状態において、指挿入部３０に指先が入れられて、指先でメンテナンスカバー２３の左端部が上方に引き上げられることにより、メンテナンスカバー２３が開かれる。
【００６３】
＜画像読取ユニットの内部構成＞
【００６４】
トレイ２２が使用位置に配置されることによって露出する部分には、図３に示されるように、供給部４１および排出部４２が設けられている。
【００６５】
供給部４１は、排出部４２の下方に位置している。供給部４１の上面は、右端部を除いて、前後方向および左右方向に延びる平面に形成されている。供給部４１の上面の右端部は、緩やかに湾曲しつつ右上がりに傾斜している。そして、供給部４１の上面の右端部は、使用位置に配置されたトレイ２２の内面の下端部に微小な隙間を空けて接続される。
【００６６】
供給部４１には、１対の原稿幅ガイド４３が設けられている。１対の原稿幅ガイド４３は、互いに前後方向に対向している。１対の原稿幅ガイド４３は、それらの間の中央を基準として、互いに同じ移動量で近接および離間可能に構成されている。１対の原稿幅ガイド４３の間の間隔が原稿の幅に合わされて、その原稿が１対の原稿幅ガイド４３の間に右側から差し込まれることにより、その原稿が供給部４１およびトレイ２２上にセンタ基準で載置される。
【００６７】
各原稿幅ガイド４３には、延出部４３ａが形成されている。延出部４３ａは、原稿幅ガイド４３の上端縁から１対の原稿幅ガイド４３の対向方向の内側に向けて延出している。
【００６８】
排出部４２は、供給部４１の上方に、供給部４１と間隔を空けて設けられている。排出部４２は、前後方向および左右方向に延びる矩形板状をなしている。排出部４２上には、原稿が筐体２内から右側に向けて排出される。そして、その原稿の右端部は、排出部４２を越えて、トレイ２２上に載置される。原稿の左端部は、排出部４２上に残って、排出部４２上に載置される。なお、供給部４１にセットされた原稿の上方には、原稿幅ガイド４３の延出部４３ａが位置するため、排出部４２およびトレイ２２上に跨って載置される排出原稿と供給部４１およびトレイ２２上に跨がって載置されている読み取り前の原稿とは混合しない。
【００６９】
上部ユニット３０１の内部には、図４に示されるように、共通パス４４が形成されている。共通パス４４は、供給部４１の左端部から左方に延び、屈曲して左下方に傾斜して延び、さらに屈曲して左方に延びている。
【００７０】
供給ローラ４５、分離ローラ４６、第１ＬＦローラ４７、従動ローラ４８、第２ＬＦローラ４９および従動ローラ５０，５１によって原稿が搬送される経路が共通パス４４を形成している。なお、第１ＬＦローラ４７と第２ＬＦローラ４９との間など、上記各ローラ同士の間には、リブや後述する第１コンタクトガラス６１および第２コンタクトガラス６２等によって構成されるガイド部が設けられており、ガイド部と各種ローラとによって共通パス４４が形成される。
【００７１】
供給ローラ４５は、共通パス４４の入口に配置されている。供給ローラ４５は、前後方向に延びる軸線を中心に回転可能に設けられている。
【００７２】
分離ローラ４６は、供給ローラ４５に対して左方に間隔を空けて設けられている。分離ローラ４６は、前後方向に延びる軸線を中心に回転可能に設けられている。分離ローラ４６の上方には、分離片５２が設けられている。分離片５２は、たとえば、ゴムからなる。分離片５２は、分離ローラ４６の周面に上方から弾性的に当接している。
【００７３】
第１ＬＦローラ４７および従動ローラ４８は、共通パス４４における左下方に傾斜した部分を挟んで対向して配置されている。第１ＬＦローラ４７および従動ローラ４８は、それぞれ前後方向に延びる軸線を中心に回転可能に設けられている。従動ローラ４８の周面は、第１ＬＦローラ４７の周面に下方から当接している。
【００７４】
第２ＬＦローラ４９および従動ローラ５０，５１は、共通パス４４の出口付近に配置されている。
【００７５】
搬送ローラの一例としての第２ＬＦローラ４９は、たとえば、前後方向に３個設けられている。３個の第２ＬＦローラ４９は、前後方向に延びる回転軸２３に、互いに間隔を空けて取り付けられている。中央の第２ＬＦローラ４９は、上部ユニット３０１の前後方向の中央部に配置されている。回転軸２３の両端部は、上部ユニット３０１に回転可能に保持されている。これにより、３個の第２ＬＦローラ４９は、回転軸２３を中心に回転可能に設けられている。
【００７６】
従動ローラ５０は、各第２ＬＦローラ４９に共通パス４４を挟んで対向して配置されている。従動ローラ５０は、前後方向に延びる軸線を中心に回転可能に設けられている。従動ローラ５０の周面は、各第２ＬＦローラ４９の周面の最下点よりも少し右側の位置に当接している。
【００７７】
従動ローラ５１は、中央の第２ＬＦローラ４９に共通パス４４を挟んで対向して配置されている。前後の各第２ＬＦローラ４９に対しては、従動ローラ５１は設けられていない。従動ローラ５１は、前後方向に延びる軸線を中心に回転可能に設けられている。従動ローラ５１の周面は、中央の第２ＬＦローラ４９の周面の最下点よりも少し左側の位置に当接している。
【００７８】
共通パス４４は、第１ＬＦローラ４７と第２ＬＦローラ４９との間において、第１コンタクトガラス６１および第２コンタクトガラス６２上を経由している。
【００７９】
載置面の一例としての第１コンタクトガラス６１は、ガラス板からなり、下部ユニット３０２に保持されている。第１コンタクトガラス６１は、左右方向に長く延びる矩形薄板状をなしている。第１コンタクトガラス６１の前後方向の幅は、共通パス４４の前後方向の幅とほぼ等しい。共通パス４４は、第１コンタクトガラス６１の左端部６１Ｌの上方を経由している。
【００８０】
第１コンタクトガラス６１の下方には、読取部の一例としてのＣＩＳ（Contact
Image Sensor）モジュール６３が設けられている。ＣＩＳモジュール６３は、ガイドレール６４に沿って往復移動可能なキャリッジ６５に搭載されている。ガイドレール６４は、第１コンタクトガラス６１平行をなして、左右方向に延びている。これにより、キャリッジ６５がガイドレール６４に沿って移動すると、ＣＩＳモジュール６３が第１コンタクトガラス６１に沿って左右方向に移動する。ＣＩＳモジュール６３の内部には、たとえば、ＬＥＤ光源、レンズおよびイメージセンサなどが設けられている。
【００８１】
第１コンタクトガラス６１の上方には、第１原稿押さえ部材６６が設けられている。第１原稿押さえ部材６６は、たとえば、白色樹脂からなり、第１コンタクトガラス６１と前後方向の幅がほぼ同じで、第１コンタクトガラス６１よりも左右方向の幅が短い矩形状をなしている。第１原稿押さえ部材６６は、上部ユニット３０１に保持されている。
【００８２】
上部ユニット３０１が展開した姿勢をなす状態では、図２に示されるように、下部ユニット３０２の上面で第１コンタクトガラス６１が露出し、上部ユニット３０１の下面で第１原稿押さえ部材６６が露出する。一方、上部ユニット３０１が下部ユニット３０２上に積み重なった姿勢をなす状態では、図４に示されるように、第１原稿押さえ部材６６が第１コンタクトガラス６１の接触面の一例としての左端部６１Ｌを除く部分に押圧される。このとき、上部ユニット３０１は、第１コンタクトガラス６１を覆う原稿カバーとして機能する。
【００８３】
第１コンタクトガラス６１の左端部６１Ｌの上方には、第２原稿押さえ部材６７が設けられている。第２原稿押さえ部材６７は、たとえば、白色樹脂からなり、前後方向に第１コンタクトガラス６１とほぼ同じ長さに形成されている。第２原稿押さえ部材６７は、上部ユニット３０１に保持されて、上部ユニット３０１が下部ユニット３０２上に積み重なった姿勢をなす状態で、第１コンタクトガラス６１の左端部６１Ｌに上方から弾性的に押圧される。
【００８４】
第２接触面の一例としての第２コンタクトガラス６２は、ガラス板からなり、上部ユニット３０１に保持されて、第１コンタクトガラス６１の左側において、共通パス４４に上方から対向している。第２コンタクトガラス６２は、前後方向に長い矩形薄板状をなしている。第２コンタクトガラス６２の前後方向の幅は、共通パス４４の前後方向の幅とほぼ等しい。
【００８５】
第２コンタクトガラス６２の上方には、第２読取部の一例としてのＣＩＳモジュール６８が設けられている。ＣＩＳモジュール６８は、上部ユニット３０１に固定されている。ＣＩＳモジュール６８は、第２コンタクトガラス６２と平行な方向から見て、第２ＬＦローラ４９とオーバラップする部分に配置されている。ＣＩＳモジュール６８の内部には、たとえば、ＬＥＤ光源、レンズおよびイメージセンサなどが設けられている。
【００８６】
第２コンタクトガラス６２の下方には、第３原稿押さえ部材６９が設けられている。第３原稿押さえ部材６９は、たとえば、白色樹脂からなり、前後方向に第２コンタクトガラス６２とほぼ同じ長さに形成されている。第３原稿押さえ部材６９は、下部ユニット３０２に保持されて、上部ユニット３０１が下部ユニット３０２上に積み重なった姿勢をなす状態で、第２コンタクトガラス６２に下方から弾性的に押圧される。
【００８７】
上部ユニット３０１の内部には、後述するＵターンパス７１およびストレートパス７２が形成されている。
【００８８】
メンテナンスカバー２３の内面には、壁部７３が突出して形成されている。壁部７３は、前後方向に延びており、第２ＬＦローラ４９の周面に対して左側に間隔を空けて、第２ＬＦローラ４９の周面に沿うように湾曲したガイド面を有している。また、上部ユニット３０１の内部には、メンテナンスカバー２３の内面に対して下方に間隔を空けて左右方向に延びるＵターンガイド部材７５が形成されている。Ｕターンガイド部材７５の左端部は、第２ＬＦローラ４９の周面の最上位置に対して右側に微小な間隔を空けた位置に配置されている。Ｕターンガイド部材７５の右端部は、排出部４２の左端部に対して左側に微小な間隔を空けた位置に配置されている。
【００８９】
第２搬送経路の一例としてのＵターンパス７１は、第２ＬＦローラ４９の周面と壁部７３のガイド面との間の空間およびメンテナンスカバー２３の内面とＵターンガイド部材７５の上面との間の空間によって形成されている。Ｕターンパス７１の入口は、第２ＬＦローラと後述するフラッパ７８とによって形成され、共通パス４４の出口と連通している。Ｕターンパス７１は、その入口から第２ＬＦローラ４９の周面に沿って上方に湾曲し、第２ＬＦローラ４９の周面の最上位置から右方に延びている。Ｕターンパス７１の出口は、メンテナンスカバー２３の内面の右端部とＵターンガイド部材７５とによって形成されている。Ｕターンパス７１の前後方向の幅は、共通パス４４の前後方向の幅とほぼ等しい。
【００９０】
第２ＬＦローラ４９の左上方には、Ｕターンパス７１を挟んで、従動ローラ７６が配置されている。従動ローラ７６は、前後方向に延びる軸線を中心に回転可能に設けられている。従動ローラ７６の周面は、第２ＬＦローラ４９の周面に左上方から当接している。
【００９１】
第１搬送経路の一例としてのストレートパス７２は、共通パス４４の出口から左上方に傾斜して延びている。
【００９２】
具体的には、従動ローラ５１の左側に、ストレートガイド部材７７が設けられている。ストレートガイド部材７７は、薄板状をなしている。ストレートガイド部材７７は、従動ローラ５１の周面における上下方向の中央位置の近傍から左方に少し延び、左上方に屈曲して延びている。ストレートガイド部材７７の左端部は、排出カバー２５の下端部の近傍に配置されている。また、ストレートガイド部材７７の前後方向の長さは、前側の第２ＬＦローラ４９の後端面と後側の第２ＬＦローラ４９の前端面との間の間隔よりもわずかに小さい。そして、ストレートパス７２は、ストレートガイド部材７７の案内面の一例としての上面７７Ｕに沿って左上方に延びる空間によって形成されている。
【００９３】
そして、Ｕターンパス７１とストレートパス７２との分岐部分には、ガイド部の一例としてのフラッパ７８が配置されている。フラッパ７８は、前後方向に延びる略矩形板状をなしている。また、フラッパ７８は、上部ユニット３０１内において、前後方向に延びる揺動軸線を中心に、図５に示される第１位置と図６に示される第２位置とに揺動可能に設けられている。
【００９４】
第１位置のフラッパ７８は、図５に示されるように、ストレートパス７２に沿って延び、その右端部がＵターンパス７１を塞ぐように配置される。第１位置のフラッパ７８は、共通パス４４からストレートパス７２への原稿の進入を許容する。
【００９５】
一方、第２位置のフラッパ７８は、図６に示されるように、湾曲面７９がＵターンパス７１に沿って延び、その下端部がストレートパス７２を塞ぐように配置される。
【００９６】
フラッパ７８には、遮蔽部の一例としての遮蔽フィルム９１が取り付けられている。遮蔽フィルム９１は、一方向に長く延びる矩形状のフィルムシートからなる。遮蔽フィルム９１は、長手方向に沿った一端縁と間隔を空けて延びる折れ線で山折りされている。そして、遮蔽フィルム９１における折れ線よりも一端縁側の基端部９２（他端部の一例である）の外面は、フラッパ７８の湾曲面７９と反対側の貼付面８０に両面テープを用いて貼り付けられている。フラッパ７８が第１位置に配置された状態では、図５に示されるように、遮蔽フィルム９１の長手方向に沿った先端部９３（一端部の一例である）は、ストレートパス７２内に突出して、ストレートパス７２を横切り、ストレートガイド部材７７の上面７７Ｕに接触している。また、フラッパ７８が第２位置に配置された状態では、図６に示されるように、先端部９３は、ストレートパス７２にほぼ沿って、原稿の排出方向に延びている。
【００９７】
フラッパ７８は、排出カバー２５の開閉に連動して、第１位置と第２位置とに切り替えられる。
【００９８】
この連動のために、リンク機構７９が設けられている。リンク機構７９は、第１リンクアーム８１、第２リンクアーム８２およびカム部材８３を含む。第１リンクアーム８１の一端部は、排出カバー２５に回動可能に接続されている。第１リンクアーム８１の他端部は、第２リンクアーム８２の一端部に回動可能に接続されている。第２リンクアーム８２の他端部は、カム部材８３に相対回転不能に接続されている。カム部材８３は、前後方向に延びる回動軸に支持されている。カム部材８３の回動軸は、上部ユニット３０１に回動可能に保持されている。カム部材８３の周面には、突出部８４が突出して形成されている。
【００９９】
排出カバー２５が閉じられた状態では、図５に示されるように、カム部材８３の突出部８４がフラッパ７８の上端部に左側から当接し、フラッパ７８は、第２位置に配置されている。この状態から排出カバー２５が開かれると、第１リンクアーム８１が左方に移動する。この第１リンクアーム８１の移動に伴って、第２リンクアーム８２の一端部が左方に移動し、第２リンクアーム８２の他端部およびカム部材８３が図５における時計回りに回動する。その結果、図６に示されるように、カム部材８３の突出部８４がフラッパ７８から離間し、フラッパ７８がＵターンパス７１を形成する第２位置からストレートパス７２を形成する第１位置に変位する。また、その状態から排出カバー２５が閉じられると、第１リンクアーム８１が右方に移動する。この第１リンクアーム８１の移動に伴って、第２リンクアーム８２の一端部が右方に移動し、第２リンクアーム８２の他端部およびカム部材８３が図６における反時計回りに回動する。その結果、図５に示されるように、カム部材８３の突出部８４がフラッパ７８を左側から押圧し、フラッパ７８が第１位置から第２位置に変位する。
【０１００】
＜画像読取動作１＞
【０１０１】
画像読取ユニット３００では、ＡＤＦ（Auto Document Feeder）機能を使用して、第２読取方式の一例であるＡＤＦ方式により、原稿の両面に形成されている画像を並行して読み取ることができる。また、原稿の片面に形成されている画像を読み取ることができる。
【０１０２】
たとえば、原稿がＡ４サイズの普通紙である場合、排出カバー２５が閉じられる。図３に示されるように、トレイ２２が開かれた状態で、１対の原稿幅ガイド４３の間の間隔がおおよそＡ４サイズの短辺の長さに合わされる。その後、原稿が１対の原稿幅ガイド４３の間に右側から差し込まれる。１対の原稿幅ガイド４３の間の間隔が、差し込まれた原稿の前後方向の長さに合わされる。こうして、原稿が供給部４１およびトレイ２２上に載置される。
【０１０３】
１対の原稿幅ガイド４３の間に右側から差し込まれた原稿の先端部は、供給ローラ４５の周面上に配置される。供給ローラ４５が前側から見て反時計回りに回転されると、供給部４１上の最下の原稿の下面と供給ローラ４５の周面との摩擦力により、その原稿が共通パス４４に送り込まれる。この時、最下の原稿と共に、その上の数枚の原稿が同時に共通パス４４側に送り込まれることがある。
【０１０４】
分離ローラ４６は、前側から見て反時計回りに回転されている。原稿の先端が分離ローラ４６の周面と分離片５２との接触部分に当接すると、分離ローラ４６の回転により、原稿が分離ローラ４６の周面と分離片５２との間に引き込まれる。原稿が分離ローラ４６の周面および分離片５２から受ける摩擦力により、１枚ずつに確実に分離される。そして、複数枚の原稿のうちの最下の１枚が分離ローラ４６の周面と分離片５２との間を通過する。
【０１０５】
第１ＬＦローラ４７は、前側から見て時計回りに回転されている。従動ローラ４８は、第１ＬＦローラ４７の回転に伴って、前側から見て反時計回りに従動回転している。原稿の先端が第１ＬＦローラ４７の周面と従動ローラ４８の周面との接触部分に当接すると、第１ＬＦローラ４７の回転により、原稿の先端部が第１ＬＦローラ４７の周面と従動ローラ４８の周面との間に引き込まれる。そして、第１ＬＦローラ４７から原稿に搬送力が付与される。
【０１０６】
原稿の搬送が進むと、原稿の下面が第１コンタクトガラス６１の左端部６１Ｌに対向する。そして、ＣＩＳモジュール６３から第１コンタクトガラス６１の左端部６１Ｌ上の原稿の下面に光が照射される。原稿の下面での反射光がＣＩＳモジュール６３のイメージセンサに受けられることにより、原稿の下面に形成されている画像の読取りが達成される。
【０１０７】
また、原稿の上面が第２コンタクトガラス６２に対向する。そして、ＣＩＳモジュール６８から第２コンタクトガラス６２上の原稿の上面に光が照射される。原稿の上面での反射光がＣＩＳモジュール６８のイメージセンサに受けられることにより、原稿の上面に形成されている画像の読取りが達成される。
【０１０８】
その後、原稿の先端は、第２ＬＦローラ４９の周面と従動ローラ５０の周面との接触部分に当接する。第２ＬＦローラ４９は、前側から見て時計回りに回転されている。従動ローラ５０は、第２ＬＦローラ４９の回転に伴って、前側から見て反時計回りに従動回転している。これにより、原稿の先端部が第２ＬＦローラ４９の周面と従動ローラ５０の周面との間に引き込まれる。そして、第２ＬＦローラ４９から原稿に搬送力が付与される。
【０１０９】
次いで、原稿の先端は、第２ＬＦローラ４９の周面と従動ローラ５１の周面との接触部分に当接する。従動ローラ５１は、第２ＬＦローラ４９の回転に伴って、前側から見て反時計回りに従動回転している。これにより、原稿の先端部が第２ＬＦローラ４９の周面と従動ローラ５１の周面との間に引き込まれる。そして、第２ＬＦローラ４９から原稿に搬送力が付与される。
【０１１０】
このとき、排出カバー２５が閉じられていれば、フラッパ７８がＵターンパス７１を形成する第２位置に配置されている。そのため、第２ＬＦローラ４９の周面と従動ローラ５１の周面との間から送り出される原稿は、その先端がフラッパ７８に沿って移動することにより、Ｕターンパス７１内を搬送される。
【０１１１】
Ｕターンパス７１内を搬送される原稿は、第２ＬＦローラ４９の周面と従動ローラ７６の周面との接触部分に向けて移動する。従動ローラ７６は、第２ＬＦローラ４９の回転に伴って、前側から見て反時計回りに従動回転している。原稿の先端が第２ＬＦローラ４９の周面と従動ローラ７６の周面との接触部分に当接すると、原稿の先端部が第２ＬＦローラ４９の周面と従動ローラ７６の周面との間に引き込まれる。そして、第２ＬＦローラ４９から原稿に搬送力が付与される。
【０１１２】
その後、原稿の後端が第２ＬＦローラ４９の周面と従動ローラ７６の周面との接触部分から離れると、原稿が排出部４２およびトレイ２２上にそれらに跨がった状態に排出される。
【０１１３】
＜画像読取動作２＞
【０１１４】
たとえば、原稿が腰の強い葉書である場合、排出カバー２５が開かれる。図３に示されるように、トレイ２２が開かれた状態で、１対の原稿幅ガイド４３の間の間隔が原稿の短辺の長さに合わされる。その後、原稿が１対の原稿幅ガイド４３の間に右側から差し込まれる。１対の原稿幅ガイド４３の間の間隔が、差し込まれた原稿の前後方向の長さに合わされる。こうして、葉書等の原稿が供給部４１上に載置される。。
【０１１５】
１対の原稿幅ガイド４３の間に右側から差し込まれた原稿の先端部は、供給ローラ４５の周面上に配置される。供給ローラ４５が前側から見て反時計回りに回転されると、原稿の下面と供給ローラ４５の周面との摩擦力により、その原稿が共通パス４４に送り込まれる。
【０１１６】
分離ローラ４６は、前側から見て反時計回りに回転されている。原稿の先端が分離ローラ４６の周面と分離片５２との接触部分に当接すると、分離ローラ４６の回転により、原稿が分離ローラ４６の周面と分離片５２との間に引き込まれる。そして、原稿が分離ローラ４６の周面と分離片５２との間を通過する。
【０１１７】
第１ＬＦローラ４７は、前側から見て時計回りに回転されている。従動ローラ４８は、第１ＬＦローラ４７の回転に伴って、前側から見て反時計回りに従動回転している。原稿の先端が第１ＬＦローラ４７の周面と従動ローラ４８の周面との接触部分に当接すると、第１ＬＦローラ４７の回転により、原稿の先端部が第１ＬＦローラ４７の周面と従動ローラ４８の周面との間に引き込まれる。そして、第１ＬＦローラ４７から原稿に搬送力が付与される。
【０１１８】
原稿の搬送が進むと、原稿の下面が第１コンタクトガラス６１に対向する。そして、ＣＩＳモジュール６３から第１コンタクトガラス６１上の原稿の下面に光が照射される。原稿の下面での反射光がＣＩＳモジュール６３のイメージセンサに受けられることにより、原稿の下面に形成されている画像の読取りが達成される。
【０１１９】
また、原稿の下面が第２コンタクトガラス６２に対向する。そして、ＣＩＳモジュール６８から第２コンタクトガラス６２上の原稿の上面に光が照射される。原稿の上面での反射光がＣＩＳモジュール６８のイメージセンサに受けられることにより、原稿の上面に形成されている画像の読取りが達成される。
【０１２０】
その後、原稿の先端は、第２ＬＦローラ４９の周面と従動ローラ５０の周面との接触部分に当接する。第２ＬＦローラ４９は、前側から見て時計回りに回転されている。従動ローラ５０は、第２ＬＦローラ４９の回転に伴って、前側から見て反時計回りに従動回転している。これにより、原稿の先端部が第２ＬＦローラ４９の周面と従動ローラ５０の周面との間に引き込まれる。そして、第２ＬＦローラ４９から原稿に搬送力が付与される。
【０１２１】
次いで、原稿の先端は、第２ＬＦローラ４９の周面と従動ローラ５１の周面との接触部分に当接する。従動ローラ５１は、第２ＬＦローラ４９の回転に伴って、前側から見て反時計回りに従動回転している。これにより、原稿の先端部が第２ＬＦローラ４９の周面と従動ローラ５１の周面との間に引き込まれる。そして、第２ＬＦローラ４９から原稿に搬送力が付与される。
【０１２２】
このとき、排出カバー２５が開かれているので、フラッパ７８がストレートパス７２を形成する第１位置に配置されている。つまり、フラッパ７８により、共通パス４４からストレートパス７２への原稿の進入が許容されるため、第２ＬＦローラ４９の周面と従動ローラ５１の周面との間から送り出される原稿は、ストレートパス７２を搬送される。
【０１２３】
また、フラッパ７８が第１位置に配置されているので、遮蔽フィルム９１の先端部９３は、ストレートパス７２内に突出して、ストレートガイド部材７７の上面７７Ｕに接触している。したがって、原稿は、遮蔽フィルム９１の先端部９３に摺擦しながら、ストレートパス７２を搬送される。
【０１２４】
その後、原稿の後端が第２ＬＦローラ４９の周面と従動ローラ５１の周面との接触部分から離れると、原稿の先端部が排出カバー２５上に配置された状態に排出される。
【０１２５】
＜画像読取動作３＞
【０１２６】
画像読取ユニット３００では、第１読取方式の一例であるフラットベッド方式により、原稿の片面に形成されている画像を読み取ることができる。
【０１２７】
フラットベッド方式による画像の読み取りの際には、上部ユニット３０１が下部ユニット３０２上に積み重なった姿勢から前側が持ち上がって展開した姿勢に変位される。これにより、第１コンタクトガラス６１が露出する。この露出した第１コンタクトガラス６１上に、原稿が読取対象の面を第１コンタクトガラス６１側に向けて載置される。その後、上部ユニット３０１が下部ユニット３０２上に積み重なった姿勢に戻される。そして、ＣＩＳモジュール６３が左右方向に一定速度で移動されながら、ＣＩＳモジュール６３から第１コンタクトガラス６１上の原稿の下面に光が照射される。原稿の下面での反射光がＣＩＳモジュール６３のイメージセンサに受けられることにより、原稿の下面に形成されている画像の読取りが達成される。
＜作用効果＞
【０１２８】
共通パス４４に沿って配置される第１ＬＦローラ４７、従動ローラ４８、第２ＬＦローラ４９および従動ローラ５０，５１からなる搬送部の一例としての搬送機構は、上部ユニット３０１の上面２４によって覆われている。上部ユニット３０１の左側面２７には、排出カバー２５が排出口２８を開放する開位置と排出口２８を閉塞する閉位置とに変位可能に設けられている。
【０１２９】
ＣＩＳモジュール６３の上方は、排出カバー２５の位置に関係なく、上部ユニット３０１の上面２４によって覆われる。そのため、ＣＩＳモジュール６３の近傍にその上方から外光が入り込むことが抑制される。また、上部ユニット３０１の左側面２７が上面２４と直交する方向に延びているので、排出カバー２５が開かれているときに、複合機１が設置される室内の照明灯などの上方からの光が排出口２８から入り込むことが抑制される。
【０１３０】
そして、ＣＩＳモジュール６３と排出口２８との間には、排出口２８からＣＩＳモジュール６３に向かって入り込む外光を遮蔽する遮蔽フィルム９１が設けられている。よって、排出口２８から外光が入り込んでも、ＣＩＳモジュール６３の近傍にまで外光が入り込むことを抑制でき、ひいては、外光の入り込みによる画像の読取精度の低下を抑制することができる。
【０１３１】
また、遮蔽フィルム９１の一端部は、排出口２８に向けて搬送される原稿のストレートパス７２内に突出している。そのため、遮蔽フィルム９１の一端部により、排出口２８から排出される原稿が押さえられる。その結果、排出口２８から排出される原稿が落下することを防止でき、原稿を良好に排出することができる。
【０１３２】
また、ストレートガイド部材７７の上面７７Ｕがストレートパス７２に臨んで設けられている。
【０１３３】
これにより、ＣＩＳモジュール６３と排出口２８との間の距離をある程度確保することができる。その結果、ＣＩＳモジュール６３の近傍に外光が入り込むことを一層抑制できる。
【０１３４】
ＣＩＳモジュール６３と排出口２８との間には、フラッパ７８がストレートパス７２を形成する第１位置とＵターンパス７１を形成する第２位置とに変位可能に設けられている。フラッパ７８は、第１位置に位置した状態で、ＣＩＳモジュール６３と排出口２８との間を連通させ、原稿をストレートパス７２へ案内し、第２位置に配置された状態で、ＣＩＳモジュール６３と排出口２８との間を遮断し、原稿をストレートパス７２とは異なるＵターンパス７１へ案内するように構成される。そして、遮蔽フィルム９１の基端部９２は、フラッパ７８に固定されている。
【０１３５】
遮蔽フィルム９１の基端部９２がフラッパ７８に固定されているので、フラッパ７８が第２位置から第１位置に変位されると、これに伴って、遮蔽フィルム９１が変位する。これにより、フラッパ７８の位置に応じて、遮蔽フィルム９１を外光が良好に遮蔽される位置に配置することができる。よって、フラッパ７８が第１位置に配置された状態では、ＣＩＳモジュール６３と排出口２８との間が連通し、外光がＣＩＳモジュール６３に向けて入り込みやすい状態になるが、その外光を遮蔽フィルム９１によって遮蔽することができ、ＣＩＳモジュール６３の近傍への外光の入り込みを抑制することができる。
【０１３６】
また、遮蔽フィルム９１は、フラッパ７８とストレートガイド部材７７の上面７７Ｕとに跨がった状態に設けられている。
【０１３７】
そのため、遮蔽フィルム９１により、フラッパ７８とストレートガイド部材７７の上面７７Ｕとの間で、ストレートパス７２を遮断することができる。
【０１３８】
ストレートパス７２は、原稿をＵターンパス７１よりも原稿の湾曲を抑えて搬送可能な経路である。
【０１３９】
ストレートパス７２の湾曲が小さいほど、つまりストレートパス７２が直線状に近いほど、排出口２８から入り込む外光がＣＩＳモジュール６３に届きやすくなるが、ストレートパス７２を遮蔽する位置に遮蔽フィルム９１が設けられているので、ＣＩＳモジュール６３の近傍に外光が到達することを抑制できる。
【０１４０】
排出口２８と第１コンタクトガラス６１との間には、第２コンタクトガラス６２が配置されている。第２コンタクトガラス６２の上方には、原稿の画像を読み取るＣＩＳモジュール６８が配置されている。
【０１４１】
原稿は、共通パス４４を搬送される途中で、その下面が第１コンタクトガラス６１に接触し、上面が第２コンタクトガラス６２に接触する。
【０１４２】
これにより、１回の原稿の搬送中に、その原稿の上面および下面の両面の画像を読み取ることができる。
【０１４３】
ＣＩＳモジュール６８は、第２コンタクトガラス６２に対向する位置に固定されている。
【０１４４】
ＣＩＳモジュール６８が移動可能に設けられる構成では、たとえば、正しい白色データを取得するために、ＣＩＳモジュール６８を外光の影響を受けにくい位置に移動させて、ＣＩＳモジュール６８によって白基準を読み取ることが考えられる。しかし、遮蔽フィルム９１が設けられているので、ＣＩＳモジュール６８が固定されていても、ＣＩＳモジュール６８の近傍に外光が入り込むことが抑制される。その結果、ＣＩＳモジュール６８によって白基準を精度よく読み取ることができ、正しい白色データを取得することができる。
＜変形例＞
【０１４５】
図５，６に示される遮蔽フィルム９１に代えて、図７，８に示される遮蔽フィルム９５が用いられてもよい。
【０１４６】
遮蔽フィルム９５は、一方向に長く延びる矩形状のフィルムシートからなる。遮蔽フィルム９５は、長手方向に沿った一端縁および他端縁とそれぞれ間隔を空けて延びる折れ線で山折りされている。そして、遮蔽フィルム９５における一方の折れ線よりも一端縁側の基端部９６の外面は、フラッパ７８の湾曲面７９と反対側の貼付面８０に両面テープを用いて貼り付けられている。フラッパ７８が第１位置に配置された状態では、図７に示されるように、遮蔽フィルム９５の他端縁側の角部の一例としての屈曲部９７は、ストレートパス７２内に突出して、ストレートパス７２を横切り、ストレートガイド部材７７の上面７７Ｕに接触している。また、フラッパ７８が第２位置に配置された状態では、図８に示されるように、遮蔽フィルム９５における一端部９６と屈曲部９７との間の部分がストレートパス７２にほぼ沿って延びている。
【０１４７】
この構成によれば、フィルム状部材が２重になっているので、外光をより良好に遮蔽することができる。よって、ＣＩＳモジュール６３の近傍に外光が入り込むことを一層抑制できる。
【０１４８】
また、フィルムシートがＶ字形状に折り曲げられることにより、フィルムシートに腰が出る。そのため、遮蔽フィルム９５の屈曲部９７により、排出口２８から排出される原稿を良好に押さえることができる。
【０１４９】
さらに、屈曲部９７は、フィルムシートがＶ字形状に折り曲げられることによって形成されているので、切断跡のような微細な凹凸を有していない。そのため、その屈曲部９７がストレートパス７２を搬送される原稿に擦れたときに、原稿に擦り傷が生じることを抑制できる。
【０１５０】
なお、図７，８には、遮蔽フィルム９５における屈曲部９７よりも先端側の部分である先端部９８が遊端部とされた構成が図示されている。しかしながら、フラッパ７８の貼付面８０に溝が形成されて、遮蔽フィルム９５の先端部９８がその溝に移動可能に差し込まれてもよい。この構成の場合、原稿の厚さなどに応じて、遮蔽フィルム９５の先端部が溝内で移動するので、遮蔽フィルム９５の屈曲部９７から原稿に原稿の搬送の妨げとならない適度な力を付与することができる。
【０１５１】
以上、本発明の一実施形態について説明したが、本発明は、他の形態で実施することもできる。
【０１５２】
フラッパ７８は、上部ユニット３０１内に配置されているとしたが、下部ユニット３０２に取り付けられていてもよい。この場合、フラッパ７８は、上部ユニット３０１の変位にかかわらず、ストレートパス７２に対して固定的に配置される。よって、フラッパ７８の位置を安定に保つことができる。
【０１５３】
たとえば、第１コンタクトガラス６１および第２コンタクトガラス６２は、ガラス板に限らず、透明な樹脂板など、ガラス板以外の透明板で構成されてもよい。
【０１５４】
また、第１コンタクトガラス６１の左端部６１Ｌが接触面の一例である構成を取り上げたが、平面視で第１コンタクトガラス６１が第１原稿押さえ部材６６と同じサイズに形成されて、第１コンタクトガラス６１の左側に隣接して、接触面の一例としての透明板が設けられてもよい。
【０１５５】
また、上部ユニット３０１の上面２４の左端縁（メンテナンスカバー２３の左端縁）と左側面２７の上端縁とが突き合わされた構成、すなわち上部ユニット３０１の左側面２７が上面２４と直交する方向に延びている構成を取り上げたが、直交に限らず、直交に近い角度で交差していればよい。また、上面２４と左側面２７とが湾曲面または傾斜面を介して連続していてもよい。この場合、例えば、上面２４の大部分を構成する平面と、左側面２７の大部分を構成する平面とが直交、もしくは直交に近い角度で交差していれば、本実施形態と同様の効果を奏する。
【０１５６】
前述の実施形態では、画像読取ユニット３００が画像形成ユニット２００と組み合わされて、これらが複合機１００を構成している。しかしながら、画像読取ユニット３００は、それ単独でスキャナを構成してもよい。
【０１５７】
また、遮蔽フィルム９５が１枚の矩形状のフィルムシートからなる構成を取り上げたが、前後方向に並べられた複数のフィルムシートにより、前述の実施形態で説明した形状の遮蔽フィルム９５が形成されてもよい。
【０１５８】
さらに、遮蔽フィルム９５は、１つの位置に限らず、左右方向に離れた複数の位置に設けられていてもよい。
【０１５９】
その他、前述の構成には、特許請求の範囲に記載された事項の範囲で種々の設計変更を施すことが可能である。
【符号の説明】
【０１６０】
２４    上面
２５    排出カバー
２７    左側面
４７    第１ＬＦローラ
４８    従動ローラ
４９    第２ＬＦローラ
５０    従動ローラ
５１    従動ローラ
６１    第１コンタクトガラス
６１Ｌ  左端部
６２    第２コンタクトガラス
６３    ＣＩＳモジュール
６８    ＣＩＳモジュール
７１    Ｕターンパス
７２    ストレートパス
７７Ｕ  上面
７８    フラッパ
９１    遮蔽フィルム
９２    基端部
９３    先端部
９５    遮蔽フィルム
９６    基端部
９７    屈曲部
３００  画像読取ユニット
【図１】
2013251727.tif 000003
【図２】
2013251727.tif 000004
【図３】
2013251727.tif 000005
【図４】
2013251727.tif 000006
【図５】
2013251727.tif 000007
【図６】
2013251727.tif 000008
【図７】
2013251727.tif 000009
【図８】
2013251727.tif 000010